(57)【要約】【課題】３分割タイプの剥離ライナーを備える貼付剤において、粘着層の中央部分どうしの不要な付着を防止できる貼付剤を提供する。【解決手段】支持体と、支持体上に粘着層を介して積層されている剥離ライナーと、を備え、剥離ライナーは幅方向に交差する交差方向に形成される２箇所の切り離しの切断線によって、前記幅方向で、中央剥離部と左側剥離部と右側剥離部とに３分割されており、切断線の形状によって、左側剥離部と右側剥離部のそれぞれの中央剥離部側の側辺には、それぞれ左側凸部と右側凸部とが、交差方向に沿って交互に形成されており、幅方向において、左側凸部の突端部の一部が、交差方向に隣接する右側凸部の突端部の一部よりも右側に形成されている貼付剤である。【選択図】図２
2014073210.tif 000002
【特許請求の範囲】
【請求項１】
支持体と、
該支持体上に粘着層を介して積層されている剥離ライナーと、を備え、
前記剥離ライナーは、幅方向に交差する交差方向に形成される２箇所の切り離しの切断線によって、前記幅方向で、中央剥離部と、左側剥離部と、右側剥離部とに３分割されており、
前記切断線の形状によって、前記左側剥離部と前記右側剥離部のそれぞれの中央剥離部側の側辺には、それぞれ左側凸部と右側凸部とが、前記交差方向に沿って交互に形成されており、
前記幅方向において、前記左側凸部の突端部の一部が、前記交差方向に隣接する前記右側凸部の突端部の一部よりも右側に形成されている貼付剤。
【請求項２】
前記左側剥離部と前記右側剥離部には、いずれも複数の凸部が形成されている請求項１に記載の貼付剤。
【請求項３】
前記凸部がいずれも円弧で形成される請求項１又は２に記載の貼付剤。
【請求項４】
前記支持体が長辺と短辺を有する矩形形状であり、
前記中央剥離部が、前記支持体の前記長辺間を左右に蛇行しながら進行する畝形状である請求項１から３のいずれかに記載の貼付剤。
【請求項５】
前記畝形状の畝幅が３ｍｍ以上であり、畝距離が前記短辺の直線距離の１０５％以上３００％以下である請求項４に記載の貼付剤。
【請求項６】
前記中央剥離部が、前記長辺方向を均等２分する短辺方向の中心線を跨ぎ、且つ、前記左側凸部と右側凸部とが共に前記中心線を跨ぐように形成されている請求項４又は５に記載の貼付剤。
【請求項７】
前記右側剥離部及び前記左側剥離部には、該前記右側剥離部及び前記左側剥離部の中央剥離部寄りの一部を起立させる折り曲げ補助線が形成されている請求項１から６のいずれかに記載の貼付剤。
【発明の詳細な説明】
【技術分野】
【０００１】
本発明は、貼付剤に関する。更に詳しくは、３分割タイプの剥離ライナーを備え、貼付時の操作性に優れる貼付剤に関する。
【背景技術】
【０００２】
従来、薬物を生体内へ投与する手段として、薬物含有貼付剤が採用されている。薬物含有貼付剤は、不織布等からなる支持体の片面に、経皮吸収用薬物を含有する粘着剤層と、この粘着剤層を被覆する剥離ライナーとが積層されたものである。
【０００３】
かかる薬物含有貼付剤は、一般に、身体の表面における凹凸のある部分、或いは、間接周辺部位等の屈曲部に貼付されることが多いため、支持体としては極めて柔軟性に富んだ部材が好ましく用いられる。
【０００４】
ところが、この様な柔軟性に富んだ支持体を使用した貼付剤は、患部への貼付に際して、支持体部が容易に折曲がって粘着面どうしが貼り付いて貼付が困難となったり、或いは、貼付剤の一部が皺になった状態で貼付されてしまう場合が多く、このような貼付時の操作性の悪さが問題となっていた。
【０００５】
そこで、貼付剤の貼付時の操作性を改善するための手段として、剥離ライナーの中央部に２本の直線状の切り線を平行に設けて剥離ライナーを３つに分割した３分割タイプの剥離ライナーを備える貼付剤が提案されている。この貼付剤は、患部への貼付時に、３分割された剥離ライナーのうち、剥離ライナーの中央部分のみをまず支持体から剥がし、患部には当該中央部の粘着部を押圧して貼付剤を部分的に貼付し、その後両側の剥離シートを剥がして、貼付剤全体を貼付するようにして貼付時の操作性を改善した貼付剤が広く用いられるようになっている。
【０００６】
しかしながら、このような３分割タイプの剥離ライナーを備える貼付剤の場合であっても、尚、剥離ライナーの中央部分を剥がした後、患部への貼付剤の貼付が終了するまでの間に、支持体の中央部の粘着面どうしが貼り付いてしまうという問題があり、３分割タイプの剥離ライナーを備える貼付剤においても、貼付時の操作性について、更なる改善が求められていた。
【０００７】
この点、剥離ライナーを剥がしたときに、粘着層どうしが付着しない程度に剥離ライナーの中央部分を一定幅の範囲内に限定し、更に、その切り込み線と並行に折れ線を設けることにより、貼付時の操作性を改善した貼付剤が提案されている（特許文献１参照）。
【先行技術文献】
【特許文献】
【０００８】
【特許文献１】特開２００２−３０６５３０号公報
【発明の概要】
【発明が解決しようとする課題】
【０００９】
しかし、特許文献１に記載の貼付剤は、中央部分の幅が制約されることにより、患部にまず中央部分を押着して仮貼付する際の当該部分の粘着が不十分となり、それにより操作性が不十分となる場合があり、又、剥離ライナーの中央部分を剥離した後、患部へ仮貼付するまでの間に、粘着層どうしが付着してしまうことを尚十分に防ぐことはできなかった。
【００１０】
本発明は、以上の実情に鑑みてなされたものであり、３分割タイプの剥離ライナーを備える貼付剤を患部へ貼付する際に、剥離ライナーの中央部を剥離した後、当該中央部を患部に仮貼付するまでの間に粘着層の中央部どうしが互いに付着してしまうことを十分に防止することのできる貼付剤を提供することを目的とする。
【課題を解決するための手段】
【００１１】
本発明者らは、３分割タイプの剥離ライナーを備える貼付剤において、剥離ライナーの両側辺側部分の中央部側の側辺形状を、支持体のよれを防ぐための凸状部分を含む形状とすることにより、剥離ライナーの中央部分の剥離後における粘着層の中央部分どうしの不要な付着を防止できることを見いだし、本発明を完成するに至った。より具体的には、本発明は以下のものを提供する。
【００１２】
（１）  支持体と、
該支持体上に粘着層を介して積層されている剥離ライナーと、を備え、
前記剥離ライナーは、幅方向に交差する交差方向に形成される２箇所の切り離しの切断線によって、前記幅方向で、中央剥離部と、左側剥離部と、右側剥離部とに３分割されており、
前記切断線の形状によって、前記左側剥離部と前記右側剥離部のそれぞれの中央剥離部側の側辺には、それぞれ左側凸部と右側凸部とが、前記交差方向に沿って交互に形成されており、
前記幅方向において、前記左側凸部の突端部の一部が、前記交差方向に隣接する前記右側凸部の突端部の一部よりも右側に形成されている貼付剤。
【００１３】
（１）の発明によれば、貼付時の操作性が高い３分割タイプの剥離ライナーを備える貼付剤において、左側剥離部と右側剥離部とに形成された隣接凸部どうしが互いに勘合するように配置される。これにより、隣接する凸部どうしの剛性によって、中央剥離部剥離後、患部への貼付前における、支持体がよれてしまうことによる粘着層中央部どうしの付着を十分に防止することができる。
【００１４】
（２）  前記左側剥離部と前記右側剥離部には、いずれも複数の凸部が形成されている（１）に記載の貼付剤。
【００１５】
（２）の発明によれば、左右の両剥離部分に、それぞれ複数の支持体補助凸部を形成することにより、支持体のよれ防止作用の効果は向上し、上記の粘着層の付着をより確実に防止することができる。
【００１６】
（３）  前記凸部がいずれも円弧で形成される（１）又は（２）に記載の貼付剤。
【００１７】
（３）の発明によれば、中央剥離部を剥離した後、貼付が完了するまでの間に粘着層の中央部分に係る張力を均等に分散することができる。これにより、上記のよれ防止効果が更に高まる。又、凸部が粘着層から浮き上がり易くなり、摘み部としての効果が高まる。
【００１８】
（４）  前記支持体が長辺と短辺を有する矩形形状であり、
前記中央剥離部が、前記支持体の前記長辺間を左右に蛇行しながら進行する畝形状である（１）から（３）のいずれかに記載の貼付剤。
【００１９】
（４）の発明によれば、中央剥離部を蛇行する畝形状としたことにより、粘着層の中央剥離部に対応する部分の面積を増加でき、これによって患部に対する粘着力を高めることができる。これにより、中央部分による仮貼付時の貼付剤安定性を適度に高めることができ、よって、貼付剤の貼付時の操作性を向上させることができる。
【００２０】
（５）  前記畝形状の畝幅が３ｍｍ以上であり、畝距離が前記短辺の直線距離の１０５％以上３００％以下である（４）に記載の貼付剤。
【００２１】
（５）の発明によれば、畝幅と畝距離を上記の範囲内としたことで、上記の患部に対する粘着力を高めることができ、且つ、上記の支持体がよれてしまうことによる粘着層中央部どうしの付着を十分に防止することができる。尚、畝幅とは、両切断線間の最短距離を意味し、畝距離とは、両切断線の距離のいずれか短いほうを意味する。
【００２２】
（６）  前記中央剥離部が、前記長辺方向を均等２分する短辺方向の中心線を跨ぎ、且つ、前記左側凸部と右側凸部とが共に前記中心線を跨ぐように形成されている（４）又は（５）に記載の貼付剤。
【００２３】
（６）の発明によれば、中央剥離部を剥離後、本発明の貼付剤の支持体に対して左右方向から張力をかけながら貼付する場合において、中心部分に均等に張力をかけることができる。これにより、貼付剤の所望の位置への正確な貼付作業がより容易になる。
【００２４】
（７）  前記右側剥離部及び前記左側剥離部には、該前記右側剥離部及び前記左側剥離部の中央剥離部寄りの一部を起立させる折り曲げ補助線が形成されている（１）から（６）のいずれかに記載の貼付剤。
【００２５】
（７）の発明によれば、左右の両剥離部分の一部を起立させることにより、貼付剤の隅々まで皺を形成させることなく、患部に貼付することが容易となる。
【発明の効果】
【００２６】
本発明によれば、元来、貼付時の操作性に優れる３分割タイプの剥離ライナーを備える貼付剤において、粘着層の中央部分どうしの不要な付着を、簡易な構成変更によって、十分に高い確率で防止することができる。よって低コストで、３分割タイプの剥離ライナーを備える貼付剤の操作性を更に向上させることができる。
【図面の簡単な説明】
【００２７】
【図１】本発明の貼付剤の全体構成を示す斜視図である。
【図２】本発明の貼付剤の剥離ライナーの平面図である。
【図３】従来の３分割タイプの剥離ライナーの平面図である。
【発明を実施するための形態】
【００２８】
以下、本発明の一実施形態について図面を参照しながら説明する。
【００２９】
図１は本発明の一実施形態に係る貼付剤１の斜視図である。貼付剤１は、シート状の基材である支持体２と、支持体２上に薬剤を含有する粘着層（図示せず）と、粘着層を介して支持体２の全面を覆って積層されている剥離ライナー３と、を備える。尚、本発明が提供する貼付剤の形態としては、パップ剤、プラスター剤、テープ剤、硬膏剤等が挙げられる。
【００３０】
貼付剤１においては、剥離ライナー３は、３つの分割部分である、左側剥離部３１、右側剥離部３２、及び中央剥離部３３から構成される。そして、貼付剤１は、この左側剥離部３１、右側剥離部３２、及び中央剥離部３３の各形状を、本願特有の形状に限定することにより、貼付時の操作性を大きく向上させたものである。以下、まず初めに貼付剤１の特徴的構成要件である剥離ライナー３とその各構成部分について詳しく説明し、続いて他の構成要件について説明する。
【００３１】
［剥離ライナー］
剥離ライナー３の素材は、貼付剤の成分を安定に保持するために、薬物及び水に非透過性の素材であり、粘着層から容易に剥がすことのできるものであること、更には、中央剥離部３３の剥離後に支持体２のよれを防ぐために一定の効果を奏しうる程度の剛性を備えるものであればよい。具体的には、ポリエチレン、ポリプロピレン、ポリエチレンビニルアセテート、ポリエチレンテレフタレート等の高分子フィルム、アルミニウム、亜鉛等の金属箔、紙、及び繊維からなる群より選ばれる１種で形成されるフィルム、又は上記群より選ばれる２種以上の素材が積層されたラミネートフィルムが挙げられる。剥離ライナー３の粘着層に接着される側の面には、シリコン等で薄いコーティング膜を施してもよい。
【００３２】
剥離ライナー３は、図１、２に示すように、貼付剤１の一組の対向する２長辺間を結ぶ、２本の切断線であるＣ１、Ｃ２によって、３つの部分、即ち、左側剥離部３１、右側剥離部３２、及び、それらの両側部分に挟持されている中央剥離部３３に分割されている。
【００３３】
この実施形態においては、図２に示すように、切断線であるＣ１とＣ２は略平行に２本形成されており、この結果、Ｃ１とＣ２に挟まれる中央剥離部３３は、ちょうど中心線ｌ１を挟んで長辺間を左右に蛇行しながら進行する畝形状をなしている。
【００３４】
尚、本明細書においては、貼付剤が一組の長辺と他の一組の短辺とからなる長方形及びそれに近似する形状である場合について説明し、長辺の中心を結ぶ線分を中心線、貼付剤の一方の短辺側を左側、他方の短辺側を右側と言うものとする。長辺方向は本発明における幅方向に相当し、短辺方向は本発明における交差方向に相当する（ただし交差方向は幅方向の直行方向には限らない）。
【００３５】
図２に示すように、切断線Ｃ１を一方の側辺とする左側剥離部３１には、貼付剤の中心線ｌ１寄り側の側辺に切断線Ｃ１により、略均等間隔で半楕円形状の複数の左側凸部３１２が形成されている。この左側凸部３１２の形状は、図２に示すような楕円形状でもよく、又、テーパー状の凸部等の多角形形状の突出部分であってもよいが、円弧形状が好ましい。そして、左側凸部３１２の短辺方向（交差方向）に隣接する位置には、切断線Ｃ２を一方の側辺とする右側凸部３２２が形成されている。この実施形態においては、左側凸部３１２、右側凸部３２２、左側凸部３１３、右側凸部３２３、の順に短辺方向に交互に配置されており、その凸部間に畝状の中央剥離部３３が形成されている。
【００３６】
隣接する左側凸部３１２と右側凸部３２２との関係でいうと、図２に示す通り、この実施形態においては、左側凸部３１２の突端部３１２ａは、中心線ｌ１を超えて、中心線の右側に突出して形成されている。一方、右側凸部３２２の突端部３２２ａは、同じく中心線ｌ１を超えて、中心線の左側に突出して形成されている。即ち、長辺方向（幅方向）において、突端部３１２ａは、突端部３２２ａよりも、常に相対的に右側辺寄りに位置するように形成され、隣接する２つの凸部が互いに噛合うように配置される。
【００３７】
貼付剤１の患部への貼付時には、左側剥離部３１と右側剥離部３２が支持体２に付着されているままの状態で、まず、中央剥離部３３のみが、支持体２から剥離される。そして、中央剥離部３３の剥離によって露出した粘着層の中央部分を患部に仮着させることによって、貼付剤１の正確で安定的な貼付が図られる。このとき、隣接する凸部どうしの剛性が互いに邪魔をし合うことで、中央剥離部３３を剥離後、患部への貼付前における、支持体２がよれてしまうことによって発生する粘着層中央部どうしの付着という問題を効果的に防止することができる。
【００３８】
図３には従来の３分割タイプの貼付剤を示す。この従来の貼付剤では、左側剥離部５１と右側剥離部５２の間に、切断線５１２と５２２を介して中央剥離部５３が存在している。この場合、切断線５１２と５２２はそれぞれ蛇行しているが、中央剥離部５３の形状は全体として畝状になっておらず、中心線Ｉ２上には、左側剥離部５１と右側剥離部５２のいずれの凸部もまたがって配置されていない。
【００３９】
このような従来技術の場合、必要な仮着時の接着性を得るためには、仮着時の粘着層の露出部分を規定する中央剥離部の面積は、所定の広さを有することが求められる。具体的には、従来は２本の切断線５１２と５２２との平均間隔は２０ｍｍ程度以上とすることが望ましかった。が、一方で粘着層どうしの不要な貼り付きを防止するためには、例えば、切断線５１２と５２２との間隔をできるだけ狭くするという要請があり、この観点からは、２本の切断線の平均間隔は１５ｍｍ程度以内とすることが望ましかった。このように相反する要請をともに満たすことはできないため、従来品においては、仮着時の接着安定性と、粘着層の不要な貼り付き防止のいずれかの属性を犠牲にした構成を採用していた。
【００４０】
しかし、本発明の貼付剤１は、中央剥離部３３の形状を上記の通りの特定の畝形状としたことにより、切断線Ｃ１とＣ２の間隔、即ち、中央剥離部の畝幅を、不要な貼り付きを防止するために一定範囲内に狭くしつつも、且つ、上記の接着安定性を確保可能な一定幅以上とすることによって、上記の仮着時の接着安定性を高めたものである。具体的には、中央剥離部３３の畝幅は３ｍｍ以上、長辺の長さ以下であり、より好ましくは５ｍｍ以上２０ｍｍ以下である。又、中央剥離部３３の畝距離は、短辺の直線距離の１０５％以上３００％以下であることが好ましく、より好ましくは１１０％以上２１０％以下であり、更に好ましくは１４０％以上１６０％以下であり、最も好ましくは１５０％である。
【００４１】
尚、本発明において、突端部３１２ａと突端部３２２ａの左右方向における相対的な位置関係は、中心線の位置とは無関係であり、中央剥離部３３をまたぐように位置する短辺方向の仮想直線に対して、突端部３１２ａは、突端部３２２ａよりも、常に相対的に右側辺寄りに位置するように形成されればよい。
【００４２】
又、この突端部３１２ａや突端部３２２ａは、その後に左側剥離部３１と右側剥離部３２とを剥離する際の摘み部としても機能する。
【００４３】
更に、以上においては、左側剥離部３１、右側剥離部３２、中央剥離部３３を形成する切断線Ｃ１、Ｃ２が蛇行する曲線からなる場合について説明したが、切断線Ｃ１、Ｃ２の形状はこれに限らず、各部分の形状と位置関係を上記説明した範囲とすることができる物であれば、例えば、連続した山形状、鋸歯形状のものであってもよい。
【００４４】
又、剥離ライナー３は、図２に示す通り、切断線Ｃ１、Ｃ２の両側辺寄り外側に、切断線Ｃ１、Ｃ２と同方向に向かって直線状に形成される折れ線３１１、３２１をそれぞれ形成したものであることが好ましい。折れ線３１１、３２１は、ミシン目、筋押し線、その他の折れ線加工であってもよく、当該折れ線部分で剥離ライナーの折り曲げを容易ならしめる加工が施されたものであれば特に限定されない。折れ線３１１、３２１により、両側剥離部の立設が容易になるため、上述の効果と併せて、貼付剤１の貼付時の操作性をより向上することができる。
【００４５】
［支持体］
支持体２は、液状又はゲル状の薬剤に対しては実質的に非透過性であって、皮膚又は粘膜面の動きに追随性を有する素材で構成されればよい。例えば、伸縮性又は非伸縮性の織布、不織布等の布帛、或いは、ポリエチレンテレフタレート、ポリエチレン、ポリプロピレン、エチレン酢酸ビニル共重合体、塩化ビニル等のフィルムが挙げられ、これらを単独で使用しても、或いは、複数種が積層されたものを使用してもよい。この中でも、支持体２の素材は、使用時に使用者に与える痛みが少なく、優れたハンドリング性を有することが好ましく、安価であることがより好ましい。
【００４６】
本発明においては、従来、支持体として柔軟性があって剛性やコシがなく、貼付時に粘着層の中央部どうしが付着してしまい易いために用いることが難しかった支持体、例えば、不織布のなかでもメルトブロー法によって製造された比較的コシの弱いものや、ポリエステル、ポリプロピレン等で厚さが５０μｍ未満のコシの弱いフィルム、その他、織布、編布、紙、或いは、それらの積層体で、コシが弱くハンドリングの悪さから従来敬遠されてきた支持体であっても、好ましく用いることができる。
【００４７】
［粘着剤］
プラスター剤、テープ剤等の粘着剤として、薬物を溶解することができ、且つ、常温で皮膚に対して長時間貼付し得る感圧接着性を有する（共）重合体であれば特に限定されず、例えばアクリル系粘着剤、ゴム系粘着剤及びシリコン系粘着剤等が使用できる。アクリル系粘着剤としては、例えば炭素数４〜１８の脂肪族アルコールと（メタ）アクリル酸とから得られる（メタ）アクリル酸アルキルエステルを主体とする（共）重合体が好適に使用される。又、（メタ）アクリル酸アルキルエステル及び該（メタ）アクリル酸アルキルエステルと共重合可能な官能性モノマーとの共重合体であってもよい。
【００４８】
ゴム系粘着剤としては、例えば、天然ゴム、合成イソプレンゴム、ポリイソブチレン、ポリウレタン、ポリイソプレン、ポリブタジエン、スチレン−ブタジエン共重合体、スチレン−イソプレン共重合体、スチレン−イソプレン−スチレンブロック共重合体を主成分とするものが用いられる。
【００４９】
更に、ポリブテン、ポリイソブチレン等の液状ゴム、水素添加石油樹脂、ロジン、水素添加ロジン、流動パラフィン、植物油、ラノリン等の軟化剤を配合することもでき、必要に応じて、脂肪酸エステル類、高級アルコール類等の経皮吸収促進剤を配合することもできる。
【００５０】
上記粘着剤に対しては、必要に応じて、安定化剤、充填剤、架橋剤等の添加剤を添加することもできる。
【００５１】
［貼付剤の使用方法］
本発明の貼付剤１を、実際の患部に貼付する場合には、まず、切断線Ｃ１、Ｃ２の両側辺よりも外側に形成された折れ線３１１、３２１を谷折りして、中心線ｌ１を山折りにする。このことで、左右の剥離部に形成された、左側凸部３１２、右側凸部３２２、左側凸部３１３、右側凸部３２３が粘着層から浮き上がり立設されるとともに、中央剥離部３３も粘着層から一部浮き上がって剥離し易くなる。
【００５２】
次に、切断線Ｃ１とＣ２から中央剥離部３３を剥離して、その部分の粘着層を露出させる。このとき、残った左側剥離部３１の右側辺によって、左側凸部３１２と左側凸部３１３が形成され、右側剥離部３２の左側側辺によって、右側凸部３２２と右側凸部３２３が形成され、両者が噛合った状態で、左側凸部３１２、右側凸部３２２、左側凸部３１３、右側凸部３２３、の順に短辺方向に交互に配置されて、その凸部間に畝状の中央剥離部３３が形成される。これらの凸部どうしが互いに邪魔をするので、中央剥離部３３剥離後に貼付剤１を左右幅方向（長辺方向）に伸縮させた場合でも、露出している粘着層どうしが粘着してしまうことを効果的に防止できる。
【００５３】
そして、この状態で、左側剥離部３１と右側剥離部３２とを両手で持って、貼付剤の粘着面を患部に貼付し、左側剥離部３１と右側剥離部３２を剥離する。このとき、左右の凸部は摘み部の役割をし、又、あらかじめ摘み部を持って折れ線３１１、３２１まで左右の剥離部を剥がしてから患部に貼ると、更に貼付剤はシワ等の発生がなく、皮膚への貼付がスムーズに行える。
【符号の説明】
【００５４】
１                                          貼付剤
２                                          支持体
３                                          剥離ライナー
３１                                        左側剥離部
３２                                        右側剥離部
３３                                        中央剥離部
３１２、３１３                              左側凸部
３２２、３２３                              右側凸部
３１２ａ、３１３ａ、３２２ａ、３２３ａ      突端部
【図１】
2014073210.tif 000003
【図２】
2014073210.tif 000004
【図３】
2014073210.tif 000005